(57)【要約】【課題】入力ミスがなく、高度のセキュリティを有し、不慣れな管理者にも使いやすい承認システムを提供する。【解決手段】認証サーバと、携帯情報端末装置と、それらを接続する通信ネットワークと、前記携帯情報端末装置に接続される電子印鑑装置とを有し、会社などの組織における経費の承認に決済を与える経費承認システムであって、前記電子印鑑装置は、電子印鑑と、電子タブレットとを有し、前記携帯情報端末装置は、前記認証サーバに認証を必要とする書類がある旨の通知を受け取る要認証通知受領手段と、前記電子印鑑装置からの出力を通信ネットワークを介して前記認証サーバに送信するＩＤ情報送信手段とを有し、前記認証サーバは、前記電子印鑑のもつＩＤ情報を確認した上で経費承認処理を実行する。【選択図】図１
0003101539.tif 000002
【実用新案登録請求の範囲】
【請求項１】
認証サーバと、携帯情報端末装置と、それらを接続する通信ネットワークと、前記携帯情報端末装置に接続される電子印鑑装置とを有し、会社などの組織における経費の承認に決済を与える経費承認システムであって、
前記電子印鑑装置は、
固有のＩＤ番号情報を記憶するＩＤ番号情報記憶手段と、該ＩＤ番号情報を電磁波に含めるためのＩＤ番号情報電磁化手段と、ＩＤ番号情報を含む電磁波を送信するＩＤ番号情報送信手段とを有する電子印鑑と、
該電子印鑑から送信されたＩＤ番号情報を含む電磁波を受信するＩＤ番号情報受信手段と、受信した電磁波からＩＤ番号情報を抽出するＩＤ番号情報抽出手段と、抽出されたＩＤ番号情報を出力するＩＤ番号情報出力手段とを有する電子タブレットと、
を有し、
前記携帯情報端末装置は、
前記認証サーバに認証を必要とする書類がある旨の通知を受け取る要認証通知受領手段と、
前記電子印鑑装置からの出力を通信ネットワークを介して前記認証サーバに送信するＩＤ情報送信手段と、
を有し、
前記認証サーバは、前記電子印鑑のＩＤ情報を確認した上で経費認証処理を実行する経費承認システム。
【請求項２】
請求項１記載の経費承認システムであって、
前記認証サーバは、前記電子印鑑のＩＤ情報を受け取り、それに基づいて、該電子印鑑の所有者が決済すべき承認文書を読み出して、前記携帯情報端末からアクセス可能とする承認文書読み出し手段をさらに有する経費承認システム。
【請求項３】
請求項１記載の経費承認システムであって、前記電子印鑑は、前記電子タブレットの入力装置としての機能をも有し、前記電子印鑑を前記電子タブレット上で動かすと、前記携帯情報端末の表示画面上で開かれた承認文書上のカーソルが対応して移動し、前記電子印鑑のサイドスイッチを操作すると、マウスクリックと同様の信号が前記携帯情報端末に伝達されて決済が完了する経費承認システム。
【請求項４】
請求項１記載の経費承認システムであって、
承認文書への決済が完了する際に、前記電子印鑑の印面に刻印された印影の画像が前記承認文書の承認印欄に上書きされて保存される経費承認システム。
【請求項５】
請求項１に記載した経費承認システムに用いる電子印鑑装置であって、ノートパソコンからなる情報端末装置に、必要に応じて接続して用いることが可能である電子印鑑装置。
【請求項６】
請求項１に記載した経費承認システムに用いる電子印鑑装置であって、電子手帳、パーソナルデジタルアシスタンス（ＰＤＡ）などの携帯可能なコンピュータからなる情報端末装置に、必要に応じて接続して用いることが可能である電子印鑑装置。
【請求項７】
請求項１に記載した経費承認システムに用いる電子印鑑装置であって、電子タブレット及び電子タブレットの入力装置で構成された電子印鑑装置。
【請求項８】
請求項１に記載した経費承認システムに用いる電子印鑑装置であって、
タブレットの入力装置部分を前記電子印鑑の内部に組み込み、
印鑑と同様の形状をした電子印鑑により電子タブレットの座標入力動作をも実現する電子印鑑装置。
【考案の詳細な説明】
【技術分野】
【０００１】
本考案は、会社などで経費を管理する上で、たとえ上司が外出中であっても、その上司に決済を仰ぎ、承認を得る処理を電子的に行おうとする際に用いる経費承認システム及び電子印鑑装置に関する。
【背景技術】
【０００２】
特許文献１には、電子印鑑と、電子タブレットと、認証サーバとからなる電子印鑑システムが開示されている。該電子印鑑は、固有のＩＤ番号情報を記憶する記憶手段と、ＩＤ番号情報を電磁波に含めるための手段と、ＩＤ番号情報を含む電磁波を送信する手段を具備する。前記電子タブレットは、ＩＤ番号情報を含む電磁波を受信する手段と、受信した電磁波からＩＤ番号情報を抽出する手段と、抽出されたＩＤ番号情報を出力する手段とを具備する。前記認証サーバは、固有のＩＤ番号情報を保管するＩＤ番号情報保管手段と、前記電子タブレットから出力されたＩＤ番号情報に対して認証処理を実行する認証処理手段とを有する。前記電子タブレットは、情報端末装置に接続されており、該情報端末装置は、通信ネットワークを介して前記認証サーバに接続される。
特許文献２には、特許文献１とよく似た電子印鑑システムが開示されており、電子タブレットを用いずに電子印鑑と情報端末装置との間を無線通信により情報をやり取りする構成としたものである。
特許文献３には、遠隔地や出張先から承認ができるシステムが開示されている。
【特許文献１】特開２００２−３００１５７号公報
【特許文献２】特開２００２−３２４２１６号公報
【特許文献３】特開２００２−２８８３９８号公報
【考案の開示】
【考案が解決しようとする課題】
【０００３】
本考案の考案者は、特許文献３に示される従来の承認システムが、ＩＤやパスワードの入力が必要となり、入力ミスが起こる、パスワードが盗まれても即時には気づきにくい、操作が煩雑で不慣れな管理者に使いづらいなどの欠点がある事実に気づいた。そして、特許文献１又は２に開示された考案を用いることにより、上記課題を解決する糸口を見出した。本考案は、入力ミスがなく、高度のセキュリティを有し、不慣れな管理者にも使いやすい承認システムを提供することを目的とする。
【課題を解決するための手段】
【０００４】
かかる課題を解決すべく、本考案にかかる経費承認システムは、認証サーバと、携帯情報端末装置と、それらを接続する通信ネットワークと、前記携帯情報端末装置に接続される電子印鑑装置とを有し、会社などの組織における経費の承認に決済を与える経費承認システムであって、前記電子印鑑装置は、固有のＩＤ番号情報を記憶するＩＤ番号情報記憶手段と、該ＩＤ番号情報を電磁波に含めるためのＩＤ番号情報電磁化手段と、ＩＤ番号情報を含む電磁波を送信するＩＤ番号情報送信手段とを有する電子印鑑と、該電子印鑑から送信されたＩＤ番号情報を含む電磁波を受信するＩＤ番号情報受信手段と、受信した電磁波からＩＤ番号情報を抽出するＩＤ番号情報抽出手段と、抽出されたＩＤ番号情報を出力するＩＤ番号情報出力手段とを有する電子タブレットと、を有し、前記携帯情報端末装置は、前記認証サーバに認証を必要とする書類がある旨の通知を受け取る要認証通知受領手段と、前記電子印鑑装置からの出力を通信ネットワークを介して前記認証サーバに送信するＩＤ情報送信手段と、を有し、前記認証サーバは、前記電子印鑑のＩＤ情報を確認した上で経費認証処理を実行するものである。
【０００５】
請求項２に記載の経費承認システムは、請求項１記載の経費承認システムであって、前記認証サーバは、前記電子印鑑のＩＤ情報を受け取り、それに基づいて、該電子印鑑の所有者が決済すべき承認文書を読み出して、前記携帯情報端末からアクセス可能とする承認文書読み出し手段をさらに有するものである。
【０００６】
請求項３に記載の経費承認システムは、請求項１記載の経費承認システムであって、前記電子印鑑は、前記電子タブレットの入力装置としての機能をも有し、前記電子印鑑を前記電子タブレット上で動かすと、前記携帯情報端末の表示画面上で開かれた承認文書上のカーソルが対応して移動し、前記電子印鑑のサイドスイッチを操作すると、マウスクリックと同様の信号が前記携帯情報端末に伝達されて決済が完了するものである。
【０００７】
請求項４に記載の経費承認システムは、請求項１記載の経費承認システムであって、承認文書への決済が完了する際に、前記電子印鑑の印面に刻印された印影の画像が前記承認文書の承認印欄に上書きされて保存されるものである。
【０００８】
本考案に係る電子印鑑装置は、請求項１に記載した経費承認システムに用いる電子印鑑装置であって、ノートパソコンからなる情報端末装置に、必要に応じて接続して用いることが可能であるものである。
【０００９】
請求項６に記載した電子印鑑装置は、請求項１に記載した経費承認システムに用いる電子印鑑装置であって、電子手帳、パーソナルデジタルアシスタンス（ＰＤＡ）などの携帯可能なコンピュータからなる情報端末装置に、必要に応じて接続して用いることが可能であるものである。
【００１０】
請求項７に記載した電子印鑑装置は、請求項１に記載した経費承認システムに用いる電子印鑑装置であって、電子タブレット及び電子タブレットの入力装置で構成されるものである。
【００１１】
請求項８に記載した電子印鑑装置は、請求項１に記載した経費承認システムに用いる電子印鑑装置であって、タブレットの入力装置部分を前記電子印鑑の内部に組み込み、印鑑と同様の形状をした電子印鑑により電子タブレットの座標入力動作をも実現する電子印鑑装置である。
【考案の効果】
【００１２】
ＩＤやパスワードをタイプする必要がないので、入力ミスを防止できる。電子印鑑に固有のＩＤ番号情報を格納できるので、高度のセキュリティを有する。印鑑という従来の文化を踏襲した認証処理であるので、不慣れな管理者にも使いやすい承認システムの実現を可能にした。
【考案を実施するための最良の形態】
【００１３】
図１は、本考案の実施形態を示す構成図である。認証サーバ８０には、社内の稟議書、経費承認書などのさまざまな書類が電子的に管理されている。決裁権限を有する部長、役員などが遠隔地、出張先で決済をする必要がある場合には、それらの部長、役員は、ノートパソコン６０と電子印鑑装置（１０及び４０）とを持参する。電子印鑑装置は、電子印鑑１０及び電子タブレット４０とからなる。電子印鑑１０は、電子タブレット４０の入力装置としての機能をも有するものであり、電子印鑑１０を電子タブレット４０上で動かすとそれに対応してノートパソコン上のカーソルが移動するものである。電子タブレット４０は、ノートパソコン６０に対してたとえばＵＳＢ接続により接続される。したがって必要なときにのみつないで使うことが可能である。
電子タブレット４０の大きさは、電子印鑑を使える大きさであれば足りるので、たとえばマウスパッド程度の大きさでよい。また、電子印鑑１０の大きさは通常の認印程度の大きさでかまわない。電子印鑑１０の内部には電子印鑑回路２０が内蔵されており、その電子印鑑固有のＩＤ情報が記憶され、また印面の刻印３０の印影情報をも電子的に記憶することも可能である。電子印鑑回路２０には、電子タブレット回路５０と電磁的にやり取りするために必要な回路が設けられる。
経費や稟議などの承認が必要な旨、会社などから電話や電子メールなどで連絡が入る。または、認証サーバ８０が承認を要する書類を電子的に格納した際に、決裁権限を有する者に対し自動的に電子メールを送信する。その連絡又は通知を受けると決裁権限を有する者は、電子印鑑装置をノートパソコンにつなぎ、ノートパソコンをインターネットを介して、電子印鑑認証システムへ接続する。承認を要する文書を読み込み、内容を把握してから電子印鑑を承認印欄へもって行きサイドスイッチＳ１を押すことにより電子押印による決済が完了する。
もう少し詳しく承認の流れを書くと、承認を欲する被承認者が承認必要文書を作成し、認証システムに保管する。連絡を受けた承認者が、電子印鑑装置を繋いだノートパソコンを通信ネットワークを通じて認証システムに接続する。接続した認証システムから承認文書を開き、手元の電子印鑑をタブレット上で移動させると、それに合わせて位置を示すカーソルが移動し文書の承認印欄の位置まできたら、電子印鑑上の承認ボタン（サイドスイッチＳ１）を押す。その承認ボタン操作を認証システムが印鑑の印影画像に変換し、文書の承認印欄に印鑑の画像が上書きされる。承認文書を保管し終了する。
【実施例１】
【００１４】
図２は、本考案の実施例１を示す構成図である。図１では、ノートパソコンであった携帯情報端末が図２では、いわゆるＰＤＡ（パーソナルデジタルアシスタンス）とした例である。この場合、電子タブレット４０は、当該ＰＤＡの機種に接続可能なインターフェースを持つ必要がある。
また、電子印鑑１０と電子タブレット４０とからなる電子印鑑装置は、電子印鑑１０の内部に電子タブレット４０の機能を組み込んだものとして一体化させる実施例も可能である。その場合、電子印鑑１０にトラックボールなどを組み込むことにより座標入力の機能をもたせることができる。また、電子印鑑１０と携帯情報端末装置とを直接ケーブルで結ぶ代わりに、無線通信でやり取りすることも可能である。
【００１５】
本考案の経費承認システムとスケジュール管理システム（会社の従業員のスケジュール管理を会社単位で行い、他の従業員の予定を閲覧したり、他の従業員とのスケジュール調整を可能にしたもの）とを組み合わせて用いることにより、上司のスケジュールを確認したうえで、決済を仰ぐことができるので、決済処理がよりすばやくタイムリーに行うことが可能となる。
【産業上の利用可能性】
【００１６】
以上説明したように本考案は、入力ミスがなく、高度のセキュリティを有し、不慣れな管理者にも使いやすい承認システムの実現を可能にした。また、決済をすべき上司が外出中であっても、容易に決済手続きをすることを可能にした。
【図面の簡単な説明】
【００１７】
【図１】本考案の実施形態を示す構成図である。
【図２】本考案の実施例１を示す構成図である。
【符号の説明】
【００１８】
１０  電子印鑑
２０  電子印鑑回路
３０  刻印
４０  電子タブレット
５０  電子タブレット回路
６０，１６０  携帯情報端末装置（ノートパソコン、ＰＤＡ）
７０  通信ネットワーク
８０  認証サーバ
Ｓ１  サイドスイッチ
【図１】
0003101539.tif 000003
【図２】
0003101539.tif 000004